(57)【要約】      （修正有）【課題】新型インフルエンザなどのパンデミックが発生した場合に、管理対象区画における感染症による汚染を防止し、該区画の保全を行うための管理対象区画保全方法を提供する。【解決手段】廊下区画（Ｃ）と建物外部との間に特別区画（Ｓ）を設け、建築物外における気圧より高い気圧に保ち、廊下区画（Ｃ）を特別区画（Ｓ）より高い気圧に保ち、管理対象区画（Ｍ）を廊下区画（Ｃ）より高い気圧に保ち、建築物外と特別区画（Ｓ）との間には、進入者が感染防止用品を装着しているか否かを検出する機構を設け、特別区画（Ｓ）には、進入者の体温が平常であるか否かを検出する機構、進入者に対して殺菌剤が混入されたエアシャワーを噴出する機構、及び、進入者による手洗いの実行を検出する機構を設け、特別区画（Ｓ）とで廊下区画（Ｃ）との間に殺菌機能を有するパスボックスを設ける。【選択図】図１
2010286165.tif 000002
【特許請求の範囲】
【請求項１】
建築物内における所定の管理対象区画を感染症による汚染から保全する保全方法において、
前記管理対象区画に通ずる廊下区画を設け、
前記廊下区画と建物外部との間に特別区画を設け、
前記特別区画を建築物外における気圧より高い気圧に保ち、
前記廊下区画を前記特別区画より高い気圧に保ち、
前記管理対象区画を前記廊下区画より高い気圧に保ち、
建築物外と前記特別区画との間には、進入者が感染防止用品を装着しているか否かを検出する機構を設け、
前記特別区画には、進入者の体温が平常であるか否かを検出する機構、及び、進入者に対して殺菌剤が混入されたエアシャワーを噴出する機構、及び、進入者による手洗いの実行を検出する機構を設け、
前記特別区画とで前記廊下区画との間に殺菌機能を有するパスボックスを設けることを特徴とする管理対象区画保全方法。
【請求項２】
前記廊下区画には、２つのカーテン手段を設け、これら２つのカーテン手段との間のカーテン内空間と、該カーテン内空間以外の空間とに分けると共に、前記カーテン内空間に殺菌剤を噴霧する手段を設けることを特徴とする請求項１に記載の管理対象区画保全方法。
【請求項３】
前記カーテン手段がエアカーテンであることを特徴とする請求項２に記載の管理対象区画保全方法。
【請求項４】
カーテン内空間と、該カーテン内空間以外の空間とで気圧を異ならせることを特徴とする請求項２乃至請求項３のいずれか１項に記載の管理対象区画保全方法。
【請求項５】
前記管理対象区画の空調設備を構成するダクトには殺菌装置を取り付けるための分岐部が設けられることを特徴とする請求項１乃至請求項４のいずれか１項に記載の管理対象区画保全方法。
【請求項６】
前記管理対象区画の空調設備を構成するダクトの一部にはＨＥＰＡフィルタを装着可能なフィルタホルダが設けられることを特徴とする請求項１乃至請求項５のいずれか１項に記載の管理対象区画保全方法。
【請求項７】
前記管理対象区画の空調設備の配管路として、ＨＥＰＡフィルタ装着ダクト、又は、ＨＥＰＡフィルタを装着していないダクトのいずれかを選択可能としたことを特徴とする請求項１乃至請求項６のいずれか１項に記載の管理対象区画保全方法。
【請求項８】
前記管理対象区画には、組み込まれたＨＥＰＡフィルタによって清浄処理した空気を空気吹き出し口から局所に向けて吹き出すと共に、前記空気吹き出し口周縁から吹き出す気流が、前記空気吹き出し口周縁以外から吹き出す気流より強くなるように設定された空気清浄装置を設けることを特徴とする請求項１乃至請求項7のいずれか１項に記載の管理対象
区画保全方法。
【請求項９】
前記空気吹き出し口の外周縁に殺菌剤を噴出する殺菌剤吹き出し口を有することを特徴とする請求項8に記載の管理対象区画保全方法。
【請求項１０】
前記空気清浄装置下方の床部には空気の吸い込み手段を設けることを特徴とする請求項８又は請求項９に記載の管理対象区画保全方法。
【発明の詳細な説明】
【技術分野】
【０００１】
本発明は、新型インフルエンザなどのパンデミックが発生した場合に、管理対象区画における感染症による汚染を防止し、該区画の保全を行うための管理対象区画保全方法に関する。
【背景技術】
【０００２】
新型インフルエンザなどのパンデミックが発生すると、企業活動などが制約され、企業への大きなダメージとなることが想定される。そこで、パンデミック時における事業継続のために、企業としては、企業活動に対するパンデミックの影響を最小限に抑えるための方策を平時より検討しておくことが重要となる。パンデミック対策の一つとしては、適切な除菌装置を事業所建物内に備えておくことが考えられる。このような装置としては、例えば、特許文献１（特開２００５−２４９２９９号公報）を挙げることができる。この特許文献１には、室内を抗菌加工した空間と非抗菌加工空間とを隣接させた２室以上の並列密閉空間を設け、前記抗菌加工空間を部外者立ち入り空間とし非抗菌加工空間を部外者立ち入り禁止空間とすると共に、前記両空間への循環空気路に、紫外線殺菌灯を併用する化学フィルタと空気清浄器からなる空気浄化装置を配置し、該空気浄化装置で処理した清浄空気を、並列密閉に供給して空間の空気の循環により、換気を重ねることを特徴とする汚染物質を除去する装置が開示されている。
【特許文献１】特開２００５−２４９２９９号公報
【発明の概要】
【発明が解決しようとする課題】
【０００３】
パンデミックが発生した場合の管理においては、以下の事項などを考慮することにより、管理している区画内での感染拡大の防止を図ることが可能となると言われている。
（ａ）飛沫感染を防止するために、マスクなどの感染防止用品を着用していない者は入場させないこと。
（ｂ）手洗いを行っていない者を入場させないこと。
（ｃ）検温をパスしない者は区画内に入場させないこと。
【０００４】
しかしながら、引用文献１に記載の装置を用いることでは、上記（ａ）乃至（ｃ）に関する事項に対応するための構成については開示されておらず、効率的に感染防止拡大を図ることが困難である、という問題があった。
【課題を解決するための手段】
【０００５】
この発明は、上記課題を解決するものであって、請求項１に係る発明は、建築物内における所定の管理対象区画を感染症による汚染から保全する保全方法において、前記管理対象区画に通ずる廊下区画を設け、前記廊下区画と建物外部との間に特別区画を設け、前記特別区画を建築物外における気圧より高い気圧に保ち、前記廊下区画を前記特別区画より高い気圧に保ち、前記管理対象区画を前記廊下区画より高い気圧に保ち、建築物外と前記特別区画との間には、進入者が感染防止用品を装着しているか否かを検出する機構を設け、前記特別区画には、進入者の体温が平常であるか否かを検出する機構、及び、進入者に対して殺菌剤が混入されたエアシャワーを噴出する機構、及び、進入者による手洗いの実行を検出する機構を設け、前記特別区画とで前記廊下区画との間に殺菌機能を有するパスボックスを設けることを特徴とする管理対象区画保全方法である。
【０００６】
また、請求項２に係る発明は、請求項１に記載の管理対象区画保全方法において、前記廊下区画には、２つのカーテン手段を設け、これら２つのカーテン手段との間のカーテン
内空間と、該カーテン内空間以外の空間とに分けると共に、前記カーテン内空間に殺菌剤を噴霧する手段を設けることを特徴とする。
【０００７】
また、請求項３に係る発明は、請求項２に記載の管理対象区画保全方法において、前記カーテン手段がエアカーテンであることを特徴とする。
【０００８】
また、請求項４に係る発明は、請求項２乃至請求項３のいずれか１項に記載の管理対象区画保全方法において、カーテン内空間と、該カーテン内空間以外の空間とで気圧を異ならせることを特徴とする。
【０００９】
また、請求項５に係る発明は、請求項１乃至請求項４のいずれか１項に記載の管理対象区画保全方法において、前記管理対象区画の空調設備を構成するダクトには殺菌装置を取り付けるための分岐部が設けられることを特徴とする。
【００１０】
また、請求項６に係る発明は、請求項１乃至請求項５のいずれか１項に記載の管理対象区画保全方法において、前記管理対象区画の空調設備を構成するダクトの一部にはＨＥＰＡフィルタを装着可能なフィルタホルダが設けられることを特徴とする。
【００１１】
また、請求項７に係る発明は、請求項１乃至請求項６のいずれか１項に記載の管理対象区画保全方法において、前記管理対象区画の空調設備の配管路として、ＨＥＰＡフィルタ装着ダクト、又は、ＨＥＰＡフィルタを装着していないダクトのいずれかを選択可能としたことを特徴とする。
【００１２】
また、請求項８に係る発明は、請求項１乃至請求項7のいずれか１項に記載の管理対象
区画保全方法において、前記管理対象区画には、組み込まれたＨＥＰＡフィルタによって清浄処理した空気を空気吹き出し口から局所に向けて吹き出すと共に、前記空気吹き出し口周縁から吹き出す気流が、前記空気吹き出し口周縁以外から吹き出す気流より強くなるように設定された空気清浄装置を設けることを特徴とする。
【００１３】
また、請求項9に係る発明は、請求項8に記載の管理対象区画保全方法において、前記空気吹き出し口の外周縁に殺菌剤を噴出する殺菌剤吹き出し口を有することを特徴とする。
【００１４】
また、請求項１０に係る発明は、請求項８又は請求項９に記載の管理対象区画保全方法において、前記空気清浄装置下方の床部には空気の吸い込み手段を設けることを特徴とする。
【発明の効果】
【００１５】
本発明の管理対象区画保全方法によれば、管理対象区画、廊下区画、特別区画を設け、これらの区画管に所定の圧力差が設定されると共に、進入者が感染防止用品を装着しているか否かを検出する機構、進入者の体温が平常であるか否かを検出する機構、進入者に対して殺菌剤が混入されたエアシャワーを噴出する機構、進入者による手洗いの実行を検出する機構などが設けられているので、
（ａ）飛沫感染を防止するために、マスクなどの感染防止用品を着用していない者は入場させないこと。
（ｂ）手洗いを行っていない者を入場させないこと。
（ｃ）検温をパスしない者は区画内に入場させないこと。
などの事項を遵守することが可能となり、適切な感染防止対策を実施することが可能となる。
【図面の簡単な説明】
【００１６】
【図１】本発明の実施形態に係る管理対象区画保全方法を適用したスペースを鳥瞰的にみた図である。
【図２】本発明の実施形態に係る管理対象区画保全方法で用いる殺菌トンネル区画の概要を説明する図である。
【図３】本発明の実施形態に係る管理対象区画保全方法の管理対象区画で用いる空調システムの概要を説明する図である。
【図４】本発明の実施形態に係る管理対象区画保全方法における管理対象区画保全時の空調システムの概要を説明する図である。
【図５】本発明の他の実施形態に係る管理対象区画保全方法の管理対象区画で用いる空調システムの概要を説明する図である。
【図６】本発明の実施形態に係る管理対象区画保全方法においてパーソナル執務スペースに空気清浄装置４００を適用した例を示す図である。
【図７】本発明の実施形態に係る管理対象区画保全方法で用いるパーソナル執務スペースに対応した管理対象区画で用い空気清浄装置４００の概要を説明する図である。
【図８】本発明の他の実施形態に係る管理対象区画保全方法で用いるパーソナル執務スペースに対応した管理対象区画で用い空気清浄装置４００の概要を説明する図である。
【図９】本発明の他の実施形態に係る管理対象区画保全方法においてパーソナル執務スペースに空気清浄装置４００を適用した例を示す図である。
【図１０】本発明の他の実施形態に係る管理対象区画保全方法の管理対象区画で用いる床吹き出し空調システムの概要を説明する図である。
【図１１】本発明の他の実施形態に係る管理対象区画保全方法における管理対象区画保全時の床吹き出し空調システムの概要を説明する図である。
【発明を実施するための形態】
【００１７】
以下、本発明の実施の形態を図面を参照しつつ説明する。本実施形態においては、パンデミックが発生した場合における管理対象区画保全を例に説明する。また、本発明の管理対象区画保全方法については、病院、オフィス、官公庁などの建築物に適用されることが想定されるが、本実施形態ではオフィスへの適用事例に基づいて説明を行う。図１は本発明の実施形態に係る管理対象区画保全方法を適用したスペースを鳥瞰的にみた図である。図１に示すスペースは、大きく分けて３つの区画に分類することができる。第１の区画は「特別区画」（Ｓ）であり、第２の区画は「廊下区画」（Ｃ）であり、第３の区画は「管理対象区画」（Ｍ）である。これらの区画のうち、本発明の管理対象区画保全方法では、第３の「管理対象区画」を、感染症による汚染から保全することを目的としている。なお、「特別区画」に属する空間としては、ドアで仕切られたＳ1、Ｓ2、Ｓ3の３つの空間が
あり、「廊下区画」に属する空間としては、ドア、カーテン手段で仕切られたＣ1、Ｃ2、Ｃ3、Ｃ4の４つの空間が存在する。
【００１８】
管理対象区画（Ｍ）の入退を管理する上で、本実施形態に係る管理対象区画保全方法においては、パンデミック拡散防止のために次の諸点が考慮されている。
（ａ）管理対象区画（Ｍ）を保全するために外気と所定の圧力差が設けられること。
（ｂ）飛沫感染を防止するために、マスク等の感染防止用品を着用していない者は入場させないこと。
（ｃ）検温をパスしない者は区画内に入場させないこと。
（ｄ）進入者には殺菌エアシャワーによる殺菌で衣服等に付着している可能性のあるウイルスを除菌すること。
（ｅ）手洗いを行っていない者を入場させないこと。
以下、建物内の区画毎で設定される圧力について説明する。特別区画に属するＳ1、Ｓ2及びＳ3はいずれも大気圧より５Ｐａ気圧が高く保たれている。また、廊下区画に属するＣ1は大気圧より５Ｐａ気圧が高く保たれ、Ｃ2はＣ1の設定気圧より５Ｐａ気圧が高く保たれ、Ｃ3はＣ2の設定気圧より５Ｐａ気圧が高く保たれ、Ｃ4は大気圧より５Ｐａ気圧が高く
保たれている。また、管理対象区画（Ｍ）はＣ3の設定気圧より５Ｐａ気圧が高く保たれ
ている。このように、「管理対象区画」（Ｍ）が最も高圧に保たれ、管理対象区画」（Ｍ）→「廊下区画」→「特別区画」→建物外（大気圧）の順で圧力差が設けられているので、ウイルスなどの感染源が管理対象区画（Ｍ）に到達しにくく、管理対象区画（Ｍ）における感染症による汚染からの保全が図られるようになっている。
【００１９】
なお、図１において、「気圧（＋）」は大気圧より５Ｐａ気圧が高く保たれている空間であることを示しており、「気圧（＋＋）」は大気圧より１０Ｐａ気圧が高く保たれている空間であることを示しており、「気圧（＋＋＋）」は大気圧より１５Ｐａ気圧が高く保たれている空間であることを示しており、「気圧（＋＋＋＋）」は大気圧より２０Ｐａ気圧が高く保たれている空間であることを示している。
【００２０】
図１において、１００はドア、１０１は撮像部、１０２は報知部、１１０はドア、１１１はサーモグラフィー、１１２は報知部、１２０はドア、１２１は吹き出し部、１３０はドア、１３１は廃棄箱、１４０は殺菌パスボックス、１４１は特別区画側扉、１４２は廊下区画側扉、１５０は手洗い場、１５１は撮像部、１５２は報知部、１６０、１６１、１６２はドア、２００は殺菌トンネル、２１０は第１カーテン部、２２０は第２カーテン部をそれぞれ示している。
【００２１】
次に、本発明の実施形態に係る管理対象区画保全方法を適用したスペースにおいて、管理対象区画（Ｍ）に進むための工程について説明する。
【００２２】
管理対象区画（Ｍ）に進もうとする進入者は、ドア１００から建物内に入場することが想定されている。ここで、本実施形態で用いるドア１００としては、入場者が手をふれる必要がないスライド式の自動ドアであることが望ましい。また、このドア１００は、進入者が適正な感染防止用品を装着しているか否かを検出した上で、適正な感染防止用品を装着していると判定されたときに開くように設定されていることが好ましい。
【００２３】
撮像部１０１はドア１００から建物内に入場しようとする進入者を撮影する。撮像部１０１で撮影された撮影データは、不図示の情報処理装置によって画像解析が施され、進入者が適正な感染防止用品（例えば、マスク、ゴーグル、手袋など。なお、どの感染防止用品が適切であるかは、流行している感染症の種別によって適宜変更可能とするとよい）を装着しているか否かが判定される。このような判定結果は、先のドア１００の開閉の許可・不許可に反映される。
【００２４】
報知部１０２は例えばスピーカーなどであり、進入者に対して音声案内を行うものである。この報知部１０２は、進入者が適正な感染防止用品を装着していない場合などについては、進入を許可しない旨のメッセージなどを報知する。なお、報知部１０２としては、スピーカーなどの音声報知手段の他に、ディスプレイなどの視覚的報知手段、あるいは音声報知手段及び視覚的報知手段の両方を用いた報知手段とすることもできる。
【００２５】
上記のような撮像部１０１の取得画像で適正な感染防止用品を装着していると判定された進入者は（１）を経て、次に特別区画のＳ1の空間に進み、体温のチェックを受ける。
空間Ｓ1に設置されているサーモグラフィー１１１は、進入者の顔のサーモグラフデータ
を取得する。不図示の情報処理部によって、このサーモグラフデータが解析され、入場者平熱であるか否かが判定される。報知部１１２は先の報知部と同様で、進入者が平熱でない場合については、進入を許可しない旨のメッセージなどを報知する。また、このような場合、スライド式のドア１１０が開かないように設定されることが望ましい。
【００２６】
さて、サーモグラフィー１１１によって進入者が平熱であることが判定された場合は、
進入者は（２）を経て、次に特別区画のＳ2の空間に進む。空間Ｓ2は、殺菌エアシャワーの区画であり、この区画に設けられている吹き出し部１２１からは、殺菌剤が混入されたエアシャワーが噴出されるようになっている。このような殺菌剤としては、人体への影響を最小限に抑えつつ、感染症のウイルスなどへの殺菌効果を有する次亜塩素酸や二酸化塩素などが含まれた殺菌剤が用いられることが好ましい。このような殺菌エアシャワー区画によって、進入者の衣服などの付着していることが考えられる感染症ウイルスなどを払い落としつつ同時に殺菌を行う。所定時間の殺菌エアシャワーが実施されると、ドア１２０が開き、入者は（３）を経て、次に特別区画のＳ3の空間に進むことができるようになっ
ている。
【００２７】
空間Ｓ3に進入した者は、まず廃棄箱１３１に、使用済みのマスク、手袋などを廃棄し
、次に（４）の順路で殺菌パスボックス１４０の方に進む。殺菌パスボックス１４０は特別区画と廊下区画との間に配され、特別区画側には特別区画側扉１４１が、また、廊下区画側には廊下区画側扉１４２が設けられている殺菌機能を有するパスボックスである。このような殺菌パスボックス１４０の特別区画側扉１４１と廊下区画側扉１４２とは同時に開くことができないようになっている。また、殺菌パスボックス１４０における殺菌機能としては、ＵＶによる殺菌や、先の次亜塩素酸や二酸化塩素などが含まれた殺菌剤による殺菌など任意のものを用いることができる。
【００２８】
進入者は、殺菌パスボックス１４０はこの殺菌パスボックス１４０の特別区画側扉１４１を開き、自らの私物やゴーグルなどを置き、特別区画側扉１４１を閉じる。殺菌パスボックス１４０では、進入者が廊下区画側扉１４２からこれら私物やゴーグルなどを取り出すまでに所定の殺菌を実施する。
【００２９】
次に進入者は（５）の順路で、手洗い場１５０に向かい手洗いを行うことが想定されている。この手洗い場１５０では、洗浄液が流れ、進入者は手洗いを行うことができるようになっている。手洗い場１５０の周辺には、撮像部１５１及び報知部１５２が設けられている。撮像部１５１で撮影した画像データは不図示の情報処理装置によって画像解析され、進入者が適切に手洗いを実行したか否かが判定される。情報処理装置によって進入者が適切に手洗いを行っていないことが判明した場合には、報知部１５２によって進入者に対して警告メッセージなどを報知する。
【００３０】
手洗い場１５０で適切に手洗いを実行した者は、次に（６）の順路で、ロッカー１３２に赴き、ロッカー１３２に備え付けられている取り替え用のマスクや手袋を自身に装着し、次に（７）の順路で、廊下区画のＣ1の空間に進み、さらに順路（８）へと進む。空間
Ｃ1から、管理対象区画（Ｍ）に進む間には、殺菌トンネル２００の区画（順路（９））
が設けられている。
【００３１】
このような殺菌トンネル２００の構成について、図２を参照して詳細に説明する。図２は本発明の実施形態に係る管理対象区画保全方法で用いる殺菌トンネルの概要を説明する図である。
【００３２】
殺菌トンネル２００は、２つのカーテン手段（第１カーテン部２１０、第２カーテン部２２０）と、これら２つのカーテン手段との間のカーテン内空間（Ｃ2）に設けられた殺
菌剤を噴霧する殺菌剤噴霧装置２３０とから構成されている。本実施形態では、第１カーテン部２１０及び第２カーテン部２２０をエアカーテンによって構成している。このような構成の殺菌トンネル２００を、進入者が通過することによって進入者に付着した感染源などの除菌を行うことができるようになっている。
【００３３】
吹き出し口２１１は、第１カーテン部２１０のエア吹き出し口であり、吸い込み口２１
２は吹き出し口２１１に体操するエアの吸い込み口である。また、吹き出し口２２１は、第２カーテン部２２０のエア吹き出し口であり、吸い込み口２２２は吹き出し口２２１に対応するエアの吸い込み口である。このように本実施形態では、第１カーテン部２１０及び第２カーテン部２２０をエアカーテンによって構成しているが、これらのカーテン部はビニールカーテンなどによって構成することも可能である。
【００３４】
また、本実施形態では、カーテン部で仕切られたＣ1、Ｃ2、Ｃ3の空間には、５Ｐａず
つの圧力差が設定され、管理対象区画（Ｍ）にウイルスなどの進入することを厳格に防止しているが、このような圧力差を設けなくとも、殺菌トンネル２００は十分効果的に進入者に付着した感染源などの除菌を行うことができるようになっている。
【００３５】
以上のような殺菌トンネル２００の区画（順路（９））を経た進入者は、次に（１０）の順路で、殺菌パスボックス１４０に向かうことが想定されている。この殺菌パスボックス１４０においては、廊下区画側扉１４２を開き、殺菌済みの私物やゴーグルなどを取り出す。
【００３６】
次に進入者は順路（１１）を進み、ドア１６０から管理対象区画（Ｍ）に入ることができる。管理対象区画（Ｍ）では、例えばデスクと椅子とかなる自らのパーソナル執務スペースに進み着席し、執務を行う。なお、ここで、パーソナル執務スペースの間の間隔としては、感染を防御するために少なくとも２ｍ以上の間隔が設けられることが好ましい。また、管理対象区画（Ｍ）は温度２４〜２８℃、相対湿度５０〜６０％に空調されることによって、ウイルスなどの繁殖を防止することが可能である。
【００３７】
管理対象区画（Ｍ）から退出する際には、管理対象区画（Ｍ）から廊下区画（Ｃ）に出て、順路（１３）→（１４）を経ることが想定されている。
【００３８】
次に、管理対象区画（Ｍ）における空調システムについてより詳しく説明する。図３は本発明の実施形態に係る管理対象区画保全方法の管理対象区画で用いる空調システムの概要を説明する図である。本実施形態に係る管理対象区画保全方法では、新型インフルエンザなどのパンデミックが発生した場合、平時において図３に示す形態で用いられている空調システムを、図４に示す形態に変更して用いることが想定されている。図４は本発明の実施形態に係る管理対象区画保全方法における管理対象区画保全時の空調システムの概要を説明する図である。
【００３９】
まず、図３を参照して、平時における空調システムの運用について説明する。図３において、３００は空調システム、３０９は吸気口、３１０は中性能フィルタ、３１１はダクト、３１２はフィルタホルダ、３１４はダクト、３１５は空調機、３１６はダクト、３１７、３１８は分岐部、３２１は換気口、３２２、３２３、３２４はダクト、３２５は排気口をそれぞれ示している。
【００４０】
空調システム３００においては、中性能フィルタ３１０が装着された吸気口３０９から外気を吸い込み、これをダクト３１１→ダクト３１４の経路で空調機３１５に導入する。ダクト３１１とダクト３１４との間には、平時には用いられいが、管理対象区画保全時に用いられるフィルタホルダ３１２が予め装備されている。
【００４１】
空調機３１５は、内蔵している冷却器、加熱器、加湿器、フィルタ（いずれも図示略）により温湿度調整と粉塵除去などを行い、送風機によりダクト３１６を通して管理対象区画（Ｍ）室内に給気ＳＡを供給している。
【００４２】
ダクト３１６には、分岐部３１７、３１８が設けられている。この分岐部３１７、３１
８は平常時においては閉栓されており、実質的な流路はダクト３１６のみとなっている。
【００４３】
管理対象区画（Ｍ）空間の天井面には換気口３２１が設けられており、ここから還気ＲＡを吸い込み、ダクト３２２→ダクト３２４の経路で空調機３１５に戻して循環させるようになっている。また、ダクト３２２はダクト３２３にも枝分かれしており、還気ＲＡの一部は排気ＥＡとして排気口３２５から建物の外部に排気するようになっている。
【００４４】
平時において図３に示す形態で用いられている空調システム３００は、本発明の管理対象区画保全方法では、図４に示す形態に変更して用いる。
【００４５】
まず、ダクト３１１とダクト３１４との間の経路中に設けられているフィルタホルダ３１２には、ＨＥＰＡ（Ｈｉｇｈ  Ｅｆｆｉｃｉｅｎｃｙ  Ｐａｒｔｉｃｕｌａｔｅ  Ａｉｒ）フィルタ３１３が装着され、外気からの感染源ウイルスなどの侵入を阻止するようにする。さらに、  ダクト３１６に設けられている分岐部３１７、３１８を利用して、殺菌装置３２０が取り付けられる。この殺菌装置３２０としては任意のものを用いることができるが、次亜塩素酸や二酸化塩素などが含まれた殺菌剤を噴霧する形式のものを用いることが好ましい。このような殺菌装置３２０の働きにより、管理対象区画（Ｍ）室内への給気ＳＡは、殺菌が行われたものとなり、管理対象区画（Ｍ）の保全をより効果的に保つことができるようになっている。また、排気口３２５には、ＨＥＰＡフィルタ３２６が装着され、万が一管理対象区画（Ｍ）に感染源ウイルスなどが存在していたとしても、これを建物外部に散布することを防止している。
【００４６】
なお、本実施形態では、パンデミック対応時に殺菌装置３２０を取り付ける例につき説明したが、分岐部３１７、３１８を利用して予め殺菌装置３２０を取り付けておき、パンデミック対応時にのみこれを動作させるように運用することもできる。いずれにしても、空調機３１５からのダクト３１６に、分岐部３１７、３１８が設けられていることにより、上記のような殺菌装置３２０を取り付けることが可能となり、パンデミック対策を行い、管理対象区画（Ｍ）空間を保全することが可能となる。
【００４７】
次に、本発明の他の管理対象区画保全方法に係る空調システムについて説明する。図５は本発明の他の実施形態に係る管理対象区画保全方法の管理対象区画で用いる空調システムの概要を説明する図である。本実施形態においては、ダクト３１１とダクト３１４との間には、並列的にダクト３３０とダクト３３１とが設けられており、一方のダクト３３０の経路中にはＨＥＰＡフィルタ３１３が介挿されており、他方のダクト３３１にはフィルタ類などは設けられていない。ダクト３３０を利用するか、ダクト３３１を利用するかはバルブ操作によって選択することができるようになっており、平時にはダクト３３１を利用し、パンデミック対応時にはダクト３３０を利用し、外気からの感染源ウイルスなどの侵入を阻止する。
【００４８】
次に、本発明の管理対象区画（Ｍ）の保全方法において、必要に応じて設ける空気清浄装置について説明する。図６は本発明の実施形態に係る管理対象区画保全方法においてパーソナル執務スペースに空気清浄装置４００を適用した例を示す図であり、図７は本発明の実施形態に係る管理対象区画保全方法で用いるパーソナル執務スペースに対応した管理対象区画で用い空気清浄装置４００の概要を説明する図である。
【００４９】
設置用フレーム４１０は、個々のパーソナル執務スペース上部に、パーソナル用途の空気清浄装置４００を設置するための枠組み構造である。設置用フレーム４１０は床面に設地され、空気清浄装置４００を設置するようにしているが、空気清浄装置４００を設置する方式としては、空気清浄装置４００を天井の構造部材から吊架する方式を採用しても良い。例えば、天井がグリッド天井であるような場合には、このグリッド天井を利用し、空
気清浄装置４００をチェーンブロック等で吊る方式も行なえる。一般的に、チェーブロックは滑車型なので、使用者や使用用途に応じて空気清浄装置４００の高さ調整も行なえる。
【００５０】
このような空気清浄装置４００は、パンデミックが発生した場合、管理対象区画（Ｍ）におけるタスククリーン空調として用いられるものであり、局所的な空気清浄を行うことを想定したものである。このような空気清浄装置４００は、組み込まれたＨＥＰＡフィルタ４２３によって清浄処理した空気を空気吹き出し口４２５から、パーソナル用途のために、局所に向けて吹き出すが、吹き出し口４２５周縁から吹き出す気流が、吹き出し口４２５周縁以外から吹き出す気流より強くなるように設定されている（図６中の矢印参照）。このため、出し口４２５から吹出る空気は、出し口４２５の周縁部分の風速が中央部分よりも大きくなって当出し口４２５の周縁部分で吹出す空気が、その内側を囲むエアカーテンを形成することになる。
【００５１】
上記のような気流の強弱差を設けるために、空気清浄装置４００は本体筐体部４２０の上部に設けられたファン４２１で吸い込んだ空気を、抵抗板４２２で装置周縁の風量が多く、装置周縁以外の風量が少なくなるように調整し、風向調整部４２４へと送り出すようにする。このような抵抗板４２２は、例えば、抵抗グラデーションをつけたパンチングメタル等によって実現することができる。
【００５２】
抵抗板４２２と風向調整部４２４との間に設けられたＨＥＰＡフィルタ４２３は、抵抗板４２２された空気を高清浄度として、風向調整部４２４へと送り出す。吹き出し口４２５における風向調整部４２４は、吹き出し口４２５からの空気の吹出し方向に延在して配置してある。また、風向調整部４２４を構成する仕切板は、空気の吹出し方向に向けて拡開して設けてあり、吹き出し口４２５から吹出す空気が、仕切板の内側と外側とで仕切られることになる。
【００５３】
このように、本発明の実施形態に係る管理対象区画保全方法においては、管理対象区画（Ｍ）におけるパーソナル執務スペースに対応して、空気清浄装置４００を設けるようにしているので、個々人のパーソナル空間を高い確度で保全することが可能となる。
【００５４】
次に、本発明の管理対象区画（Ｍ）の保全方法において用いられる空気清浄装置４００の他の実施形態について説明する。図８は本発明の他の実施形態に係る管理対象区画保全方法で用いるパーソナル執務スペースに対応した管理対象区画で用い空気清浄装置４００の概要を説明する図である。図８に示す空気清浄装置４００が先の実施形態に係る空気清浄装置４００と異なる点は、本体筐体部４２０の外側に殺菌剤噴霧装置４３０が設けられており、風向調整部４２４の周縁に、殺菌剤噴霧装置４３０により発生させた殺菌剤を噴出するための殺菌剤吹き出し口４３１が設けられている点である。殺菌剤噴霧装置４３０としては、次亜塩素酸や二酸化塩素などが含まれた殺菌剤を噴霧する形式のものを用いることができる。このような他の実施形態によれば、個々人のパーソナル空間をより高い確度で保全することが可能となる。
【００５５】
次に、本発明の管理対象区画（Ｍ）の保全方法において用いられる空気清浄装置４００の他の実施形態について説明する。図９は本発明の他の実施形態に係る管理対象区画保全方法においてパーソナル執務スペースに空気清浄装置４００を適用した例を示す図である。本実施形態は、図６に示した実施形態に加えて、空気清浄装置４００下方の床部において、パーソナル執務スペースを囲むような吸い込み口４４１を有する吸い込み装置４４０が配されている点で、先の実施形態と相違している。このような床部に空気の吸い込み口４４１を設けることにより、吹き出し口４２５周縁から吹き出される強い気流は、床部でまき上げられることなく、吸い込み口４４１で吸引されるので、パーソナル執務スペース
を囲むエアカーテンが形成されることとなるので、個々人のパーソナル空間をより高い確度で保全することが可能となる。
【００５６】
次に、本発明の他の管理対象区画保全方法に係る空調システムについて説明する。本実施形態は、空調システムとして、床吹き出し空調システムが採用されている場合に係るものである。図１０は本発明の他の実施形態に係る管理対象区画保全方法の管理対象区画で用いる床吹き出し空調システムの概要を説明する図である。
【００５７】
図１０を参照して、床吹き出し空調システム４５０の平時の利用方法について説明する。床吹き出し空調システム４５０が採用されている管理対象区画（Ｍ）空間の天井部においては天井面による仕切りによって天井チャンバー４７０が形成されており、また、床下部においてはフロアパネルで仕切られることによって、床スラブと当該フロアパネルとの間に床下チャンバー４６０が形成される。また、この床下チャンバー４６０の空間には床下給気口４６１を設けることによって床下チャンバー４６０内への給気を行い、また天井チャンバー４７０には天井環気口４７１を設ける。これによって、平時は床下給気口４６１→床下チャンバー４６０→管理対象区画（Ｍ）空間→天井チャンバー４７０→天井環気口４７１の経路で空調された空気の循環を行う。
【００５８】
なお、上記のような床吹き出し空調システムの詳細については、特開２００７−１５５２２２号公報「パーソナル空調システム」、特開２００７−１３２５６４号公報「送風機」、特開２００４−２３９５２５号公報「床吹出し空調システム」、特開２００３−３２９２９４号公報「床吹出し空調システム」、特開２００１−０３２５０９号公報「床吹出し空調における二重床構造」を参照して援用するものとする。
【００５９】
この実施形態に係る管理対象区画保全方法では、新型インフルエンザなどのパンデミックが発生した場合、平時において図１０に示す形態で用いられている空調システムを、図１１に示す形態に変更して用いる。図１１は本発明の他の実施形態に係る管理対象区画保全方法における管理対象区画保全時の床吹き出し空調システムの概要を説明する図である。
【００６０】
管理対象区画（Ｍ）におけるパーソナル執務スペース上部には、図６に示す実施形態と同様に、パーソナル用途の空気清浄装置４００を設置用フレーム４１０によって設置する。なお、空気清浄装置４００についてはこれまで説明したものと同様のものを用いる。一方、床吹き出し空調システム４５０における不図示のファンの運転方向を逆方向とするなどして、天井環気口４７１を給気口として運用して給気を行い、床下給気口４６１を吸い込み口として運用し空気の吸い込みを行うようにする。このようなパンデミック発生時の運用によれば、床部の略全領域が吸い込み部として機能することによって、空気清浄装置４００の吹き出し口４２５から吹き出される気流は、床部でまき上げられることなく、床部で吸引され、パーソナル執務スペースを囲むスペースは高い確度で保全することが可能となる。
【００６１】
以上、本発明の管理対象区画保全方法によれば、管理対象区画、廊下区画、特別区画を設け、これらの区画管に所定の圧力差が設定されると共に、進入者が感染防止用品を装着しているか否かを検出する機構、進入者の体温が平常であるか否かを検出する機構、進入者に対して殺菌剤が混入されたエアシャワーを噴出する機構、進入者による手洗いの実行を検出する機構などが設けられているので、
（ａ）飛沫感染を防止するために、マスクなどの感染防止用品を着用していない者は入場させないこと。
（ｂ）手洗いを行っていない者を入場させないこと。
（ｃ）検温をパスしない者は区画内に入場させないこと。
などの事項を遵守することが可能となり、適切な感染防止対策を実施することが可能となる。
【符号の説明】
【００６２】
１００・・・ドア、１０１・・・撮像部、１０２・・・報知部、１１０・・・ドア、１１１・・・サーモグラフィー、１１２・・・報知部、１２０・・・ドア、１２１・・・吹き出し部、１３０・・・ドア、１３１・・・廃棄箱、１３２・・・ロッカー、１４０・・・殺菌パスボックス、１４１・・・特別区画側扉、１４２・・・廊下区画側扉、１５０・・・手洗い場、１５１・・・撮像部、１５２・・・報知部、１６０、１６１、１６２・・・ドア、２００・・・殺菌トンネル、２１０・・・第１カーテン部、２１１・・・吹き出し口、２１２・・・吸い込み口、２２０・・・第２カーテン部、２２１・・・吹き出し口、２２２・・・吸い込み口、２３０・・・殺菌剤噴霧装置、３００・・・空調システム、３０９・・・吸気口、３１０・・・中性能フィルタ、３１１・・・ダクト、３１２・・・フィルタホルダ、３１３・・・ＨＥＰＡフィルタ、３１４・・・ダクト、３１５・・・空調機、３１６・・・ダクト、３１７、３１８・・・分岐部、３２０・・・殺菌装置、３２１・・・換気口、３２２、３２３、３２４・・・ダクト、３２５・・・排気口、３２６・・・ＨＥＰＡフィルタ、３３０、３３１・・・ダクト、４００・・・空気清浄装置、４１０・・・設置用フレーム、４２０・・・本体筐体部、４２１・・・ファン、４２２・・・抵抗板、４２３・・・ＨＥＰＡフィルタ、４２４・・・風向調整部、４２５・・・吹き出し口、４３０・・・殺菌剤噴霧装置、４３１・・・殺菌剤吹き出し口、４４０・・・吸い込み装置、４４１・・・吸い込み口、床吹き出し空調システム４５０、４６０・・・床下チャンバー、４６１・・・床下給気口、４７０・・・天井チャンバー、４７１・・・天井環気口
【図１】
2010286165.tif 000003
【図２】
2010286165.tif 000004
【図３】
2010286165.tif 000005
【図４】
2010286165.tif 000006
【図５】
2010286165.tif 000007
【図６】
2010286165.tif 000008
【図７】
2010286165.tif 000009
【図８】
2010286165.tif 000010
【図９】
2010286165.tif 000011
【図１０】
2010286165.tif 000012
【図１１】
2010286165.tif 000013